(57)【要約】【課題】狭角制御を実行できると共に、コンパクト化を実現し易く、更には、美観にも優れる照明装置を提供すること。【解決手段】照明装置が、筐体内に配置される光源、筐体内で光源よりも光出射側に配置されるレンズ３０を含み、光源に対して静止している静止部に対する相対回転が制限される光学ブロック７０、及び光軸方向の位置が略変わらず、静止部に対して回転可能になっている回転部材５０を備える。光学ブロック７０及び回転部材５０のうちの一方が、光軸方向に対して傾斜する傾斜溝５１を有する。光学ブロック及び回転部材のうちの他方が、傾斜溝５１に嵌り込んで回転部材５０が静止部に対して回転すると傾斜溝５１内における存在位置が変動する嵌合爪４８を有する。【選択図】図１０
2020072062.tif 000002
【特許請求の範囲】
【請求項１】
筐体と、
前記筐体内に配置される光源と、
前記筐体内で前記光源よりも光出射側に配置されるレンズを含み、前記光源に対して静止している静止部に対する相対回転が制限される光学ブロックと、
光軸方向の位置が略変わらず、前記静止部に対して回転可能になっている回転部材と、を備え、
前記光学ブロック及び前記回転部材のうちの一方は、前記光軸方向に対して傾斜する傾斜溝を有し、
前記光学ブロック及び前記回転部材のうちの他方は、前記傾斜溝に嵌り込んで前記回転部材が前記静止部に対して回転すると前記傾斜溝内における存在位置が変動する嵌合部を有する、照明装置。
【請求項２】
前記傾斜溝が、前記回転部材に存在する、請求項１に記載の照明装置。
【請求項３】
前記光学ブロックが、前記レンズを保持するレンズホルダを有し、
前記レンズホルダは、前記光軸方向に延在する第１係止部を含み、
前記第１係止部が、前記静止部に設けられた第２係止部に係止する、請求項１又は２に記載の照明装置。
【請求項４】
前記嵌合部が、前記傾斜溝の一対の内壁面に対向する一対の傾斜面を有する嵌合爪である、請求項１乃至３のいずれか１つに記載の照明装置。
【請求項５】
前記一対の傾斜面のうちの少なくとも一方は、第１傾斜部と、前記第１傾斜部よりも傾斜が大きい第２傾斜部とを含む、請求項４に記載の照明装置。
【請求項６】
前記筐体は、前記光源が固定される基台と、前記基台の前記光出射側に配置される枠体とを含み、
前記枠体の高さ方向に対する前記光軸方向の傾斜角度が変動可能である、請求項１乃至５のいずれか１つに記載の照明装置。
【発明の詳細な説明】
【技術分野】
【０００１】
本開示は、照明装置に関する。
【背景技術】
【０００２】
従来、照明装置としては、特許文献１に記載されているものがある。この照明装置は、基台、光源モジュール、第１円筒部材、第２円筒部材、レンズ保持体、及びレンズを備える。基台は、筐体上側を構成し、光出射側とは反対側に複数のフィンを有する。また、光源モジュールは、基台の光出射側の端面（主面）に固定され、光軸方向のフィン側とは反対側に光を出射する。また、第１円筒部材は、基台に相対移動不可に固定され、第２円筒部材は、第１円筒部材に光軸方向に相対移動可能に取り付けられる。第２円筒部材は、第１円筒部材に対して回転すると第１円筒部材に対する高さ位置が変動する。レンズ保持体は、照明装置の筐体下側を構成し、第２円筒部材の径方向外側に相対移動不可に固定される。レンズは、レンズ保持体の内側に相対移動不可に固定される。レンズは、光軸方向において光源モジュールよりも光出射側に位置する。この照明装置は、レンズ保持体を基台に対して回転させることで基台に対するレンズ保持体の高さ位置を変動させることができるので、光源モジュールに対するレンズの光軸方向位置を適切に調整できる。したがって、出射光の狭角制御を実行できる。
【先行技術文献】
【特許文献】
【０００３】
【特許文献１】特許第６１５９４６０号公報
【発明の概要】
【発明が解決しようとする課題】
【０００４】
上記照明装置では、光源モジュールに対するレンズの光軸方向位置を調整するのに、レンズ保持体を基台に対して回転させて基台に対して光軸方向に移動させる必要がある。したがって、照明装置の光軸方向寸法が変動するため、照明装置が大型化し易く、見栄えもよくない。
【０００５】
そこで、本開示の目的は、狭角制御を実行できると共に、コンパクト化を実現し易く、更には、美観にも優れる照明装置を提供することにある。
【課題を解決するための手段】
【０００６】
上記課題を解決するため、本開示に係る照明装置は、筐体と、筐体内に配置される光源と、筐体内で光源よりも光出射側に配置されるレンズを含み、光源に対して静止している静止部に対する相対回転が制限される光学ブロックと、光軸方向の位置が略変わらず、静止部に対して回転可能になっている回転部材と、を備え、光学ブロック及び回転部材のうちの一方は、光軸方向に対して傾斜する傾斜溝を有し、光学ブロック及び回転部材のうちの他方は、傾斜溝に嵌り込んで回転部材が静止部に対して回転すると傾斜溝内における存在位置が変動する嵌合部を有する。なお、上記「光源よりも光出射側に配置されるレンズ」という要件は、レンズにおける光軸方向の光出射側の端面が、光源よりも光軸方向の光出射側に位置すれば満たされるものとする。
【０００７】
なお、本明細書では、上記傾斜溝を、光軸方向に対して傾斜すると共に互いに対向する一対の内側壁面を有する構造であって、一対の内側壁面の間に位置する嵌合部の少なくとも一部を一対の内側壁面でガイドすることで、嵌合部が、一対の内側壁面の延在方向に沿って移動することを可能とする構造として定義する。したがって、上記傾斜溝は、底部が存在する構造でもよいが、光軸方向に対して傾斜する細長い長孔形状を有する貫通孔の構造を有して回転部材若しくは光学ブロックの側壁を厚さ方向に貫通してもよい。
【発明の効果】
【０００８】
本開示に係る照明装置によれば、狭角制御を実行できると共に、コンパクト化を実現し易く、更には、美観にも優れる。
【図面の簡単な説明】
【０００９】
【図１】本開示の一実施形態に係る照明装置の斜視図である。
【図２】光軸調整用部材の斜視図である。
【図３】照明装置の主要構成の分解斜視図である
【図４】照明装置の基台の主面に配置されている状態の光源モジュールを示す斜視図である。
【図５】枠体の中心軸が光軸方向に略一致している状態における照明装置の一断面図である。
【図６】レンズホルダとそれに保持されたレンズとで構成される光学ブロックの斜視図である。
【図７】レンズホルダの斜視図である。
【図８】レンズの斜視図である。
【図９】回転部材の斜視図である。
【図１０】光学ブロックと回転部材が一体に統合された回転部材アッセンブリの斜視図である。
【図１１】基台の第１部材の斜視図である。
【図１２】図１と異なる角度から見たときの照明装置の斜視図である。
【図１３】照明装置を下から見たときの斜視図である。
【図１４】径方向外側から見た変形例の傾斜溝に嵌合している変形例の嵌合爪が上側移動している最中の模式図である。
【発明を実施するための形態】
【００１０】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、異なる図間において、各部材における、縦、横、高さ等の寸法比は、必ずしも一致しない。また、図面、及び以下の説明において、Ｒ方向は、基台１０の径方向であり、θ方向は、基台１０の周方向である。また、Ｚ方向は、光軸方向であり、基台１０の高さ方向に一致し、また、レンズ３０の中心軸の延在方向にも一致する。Ｒ方向、θ方向、及びＺ方向は、互いに直交する。また、以下の説明で、上側とは、光軸方向における光出射側とは反対側を指し、下側とは、光軸方向の光出射側を指す。また、以下で説明される構成要素のうち、最上位概念を示す独立請求項に記載されていない構成要素については、任意の構成要素であり、必須の構成要素ではない。
【００１１】
図１は、本開示の一実施形態に係る照明装置１の斜視図である。図１に示すように、照明装置１は、埋込型ユニバーサルダウンライトであり、ホール等の建物の天井に埋め込み配置され、下方に出射される出射光の光軸方向を変動させることができる。より詳しくは、図１に示すように、照明装置１は、基台１０を備える。基台１０は、照明装置１の筐体の上側を構成し、有底円筒状部１１を有する。基台１０は、有底円筒状部１１内に光源６２（図４参照）を取り付ける取付台として機能し、光源６２に対して静止している静止部に含まれる。基台１０は、上方に突出する複数のフィン１２を有し、基台全体が、光源６２で発生する熱を放散させるヒートシンクとしても機能し、特にフィン１２が光源６２からの熱を外気に放熱する。このため、基台１０は、金属材料等の熱伝導率の高い材料によって構成されると好ましい。基台１０は、例えば、アルミダイカスト等で、有底円筒状部１１とフィン１２を一体成形することで構成される。なお、基台は、有底円筒状部とフィンを接合する構成でもよい。この場合、例えば、有底円筒状部に設けた突起を、フィンに設けられた孔に挿入した後に塑性変形させることで、有底円筒状部とフィンを接続してもよい。なお、基台は、フィンを有さなくてもよい。
【００１２】
照明装置１は、更に、バネ取付部材１５、光軸調整用部材１７、及び枠体２０を備える。バネ取付部材１５、光軸調整用部材１７、及び枠体２０の夫々は、アルミニウム等の金属材料、又はポリブチレンテレフタレート等の樹脂材料によって好適に形成される。基台１０、バネ取付部材１５、光軸調整用部材１７、及び枠体２０は、次に示す如く一体化される。詳しくは、図１に示すように、バネ取付部材１５は、環状平板部１５ａと、２つのバネ取付部１５ｂを含み、２つのバネ取付部１５ｂは、環状平板部１５ａの周方向に間隔をおいた状態で環状平板部１５ａから下側に突出する。また、枠体２０は、筐体の下側を構成する筒状部材であり、環状円板状の上側端面（図示せず）を含む。また、図２、すなわち、光軸調整用部材１７の斜視図に示すように、光軸調整用部材１７は、環状平板部１７ａ、上側基台固定部１７ｂ、及び下側基台固定部１７ｃを含み、上側基台固定部１７ｂは、環状平板部１７ａから上側に突出する一方、下側基台固定部１７ｃは、環状平板部１７ａから下側に突出する。
【００１３】
再度、図１を参照して、バネ取付部材１５の環状平板部１５ａと枠体２０の上側端面とで光軸調整用部材１７の環状平板部１７ａを挟持した状態で、環状平板部１５ａを枠体２０の上側端面にねじ２７で固定する。この固定で、バネ取付部材１５、光軸調整用部材１７、及び枠体２０が一体化される。図２に示すように、上側基台固定部１７ｂは、長孔１７ｄを有し、下側基台固定部１７ｃは、円筒孔１７ｅを有する。図１を参照して、基台１０は、枠体２０に対して所望の角度で傾斜している状態で長孔１７ｄと円筒孔１７ｅ（図２参照）を用いて枠体２０にねじ止めされる。
【００１４】
図１に示すように、枠体２０の中心軸の延在方向がＺ方向に略一致している状態では、基台１０は、ねじ２１で紙面における長孔１７ｄの右端に固定される。ねじ２１による固定位置が、紙面における長孔１７ｄの左側に移動するにしたがって、基台１０が、枠体２０に対して傾斜する。これにより、基台１０が枠体２０に対して所望の角度傾斜している状態で基台１０を枠体２０に固定できる。
【００１５】
照明装置１は、更に、２つの取付バネ２３を備える。２つの取付バネ２３は、枠体外側にその中心軸を挟んで枠体２０の径方向に対向するように配置され、各取付バネ２３は、は、バネ取付部１５ｂに固定される。取付バネ２３は、例えば、屈曲部を有する金属板によって構成され、板バネ構造を有する。取付バネ２３を歪ませて、取付バネ２３を埋め込み孔の周囲に当接させる。これにより、照明装置１は、取付バネが埋め込み孔内面から受ける水平方向の力で天井の埋め込み孔内面に固定される。
【００１６】
バネ取付部１５ｂは、枠体２０に取り付けられるので、枠体２０に対して静止し、天井の埋め込み孔にも静止する。したがって、枠体２０が埋め込み孔に対して静止するので、枠体２０に対して傾斜角度を調整できる基台１０を天井に対して所望の角度だけ傾斜させることができる。よって、基台１０に固定される光源６２（図４参照）から出射させる出射光の光軸を、鉛直方向に対して所望の角度だけ傾斜させることができるので、照射領域の自由度を格段に高くできる。なお、取付バネは３以上設けられてもよい。また、照明装置の天井への取付構造は、照明装置を天井に固定できる構造であれば如何なる構造でもよく、取付バネを含まなくてもよい。
【００１７】
照明装置１は、光源に対するレンズの光軸方向位置を変動させることができ、出射光を狭角制御できるようになっている。次に、このことについて説明する。図３は、照明装置１の主要構成の分解斜視図である。また、図４は、基台１０の主面２４に配置されている状態の光源モジュール６０を示す斜視図であり、図５は、枠体２０の中心軸がＺ方向に略一致している状態における照明装置１の断面図である。
【００１８】
図３に示すように、照明装置１は、基台１０及び枠体２０に加えて、レンズ３０、レンズホルダ４０、及び回転部材５０を備える。また、図４に示すように、照明装置１は、基台１０の主面に固定される光源モジュール６０を備え、光源モジュール６０は、基板６１と、光源６２を有する。基板６１は、平面視で略矩形の形状を有し、光源６２は、円板状の形状を有し、基板６１の下面（実装面）の略中央に配設される。光源モジュール６０は、例えば、ＣＯＢ（Chip On Board）構造を有し、光源６２は、基板６１に実装された複数のＬＥＤ（light emitting diode）と、複数のＬＥＤを封止する封止部材を含む。
【００１９】
基板６１は、例えば、セラミックス基板、樹脂基板、又はメタルベース基板等で構成される。詳述しないが、基板６１には、一対の電極端子と、所定パターンの金属配線が形成される。一対の電極端子は、ＬＥＤを発光させるための直流電力を外部から受電するために設けられる。また、所定パターンの金属配線は、ＬＥＤ同士を電気的に接続するために設けられる。
【００２０】
ＬＥＤは、発光素子の一例である。ＬＥＤは、例えば、単色の可視光を発するベアチップで構成され、通電されれば青色光を発する青色ＬＥＤチップで構成される。複数のＬＥＤは、例えば基板６１にマトリクス状に配置される。なお、ＬＥＤは、基板に１つのみ実装されてもよい。封止部材は、例えば、透光性樹脂で構成され、蛍光体を含む。蛍光体は、ＬＥＤからの光を波長変換する役割を果たす。封止部材は、例えば、シリコーン樹脂に蛍光体粒子を分散させた蛍光体含有樹脂で構成される。光源モジュール６０が白色光を出射し、ＬＥＤが青色光を発光する青色ＬＥＤチップである場合、蛍光体粒子は、例えばＹＡＧ系の黄色蛍光体で構成される。
【００２１】
なお、封止部材は、例えば、全てのＬＥＤを一括封止してもよく、複数のＬＥＤを列ごとにライン状に封止してもよく、各ＬＥＤを１つずつ個別に封止してもよい。また、光源は、ＬＥＤ以外の発光素子で構成されてもよく、半導体レーザ素子や、有機ＥＬ（Electro Luminescence）素子若しくは無機ＥＬ素子等の固体発光素子等で構成されてもよい。又は、光源は、白熱灯や蛍光灯で構成されてもよい。
【００２２】
図４に示すように、基板６１は、基台１０の主面２４に設けられた凹部６４に収容される。また、照明装置１は、図示しない２つの基板ホルダを有し、２つの基板ホルダは、基板６１の下側かつ長手方向又は幅方向の両側に配置される。基板ホルダは、例えば、基台１０に固定された状態でＺ方向から見たときに基板の長手方向又は幅方向の両側端部６１ｅに重なる基板受部（図示せず）を有する。基板６１は、基板受部で主面２４側に押圧されることで基台１０に固定される。図５を参照して、レンズ３０は、Ｚ方向に関して、光源６２（図４参照）よりも光出射側に配置される。より正確には、レンズ３０におけるＺ方向の光出射側の端面９６は、光源６２よりもＺ方向の光出射側に位置する。また、レンズホルダ４０は、レンズ３０を取り囲むように配置され、回転部材５０は、レンズホルダ４０を取り囲むように配置される。
【００２３】
図６は、レンズホルダ４０とそれに保持されたレンズ３０とで構成される光学ブロック７０の斜視図であり、図７は、レンズホルダ４０の斜視図であり、図８は、レンズ３０の斜視図である。図６に示すように、レンズホルダ４０は、環状部材であり、レンズ３０を取り囲むように配置される。レンズホルダ４０は、アルミニウム等の金属材料、又はポリブチレンテレフタレート等の樹脂材料によって好適に形成される。また、レンズ３０は、透光性を有する透光性材料によって構成され、アクリル、ポリカーボネート、シリコーン等の透明樹脂材料、又は、ガラス材料によって形成されると好ましい。
【００２４】
図７に示すように、レンズホルダ４０は、周方向に間隔をおいて配置される３つの第１係止部４１を有し、各第１係止部４１は、Ｚ方向に延在する。第１係止部４１は、Ｒ方向内方に凸の凹面４１ａを含み、凹面４１ａはＲ方向外方を向き、Ｚ方向に延在する。第１係止部４１の役割については後で説明する。また、レンズホルダ４０は、３つのレンズ嵌合部４２を有し、３つのレンズ嵌合部４２は、θ方向に略等間隔に配置されて内周側に配置される。レンズ嵌合部４２は、Ｒ方向内方に突出する突出部で構成される。図８に示すように、レンズ３０は、Ｚ方向下側に行くにしたがって末広がりとなる形状を有する。レンズ３０は、外周側の下側端部にθ方向に略等間隔に配置される３つのホルダ嵌合部３１を有する。ホルダ嵌合部３１は、レンズ嵌合部４２（図７参照）の形状に対応する形状であって、Ｒ方向内側に窪む凹部で構成される。レンズ嵌合部４２をホルダ嵌合部３１に圧入で嵌合させることで、レンズ３０がレンズホルダ４０に固定され、その結果、図６に示す光学ブロック７０が構成される。
【００２５】
次に、回転部材５０に対する光学ブロック７０の相対移動可能な統合構造について説明する。図７に示すように、レンズホルダ４０は、外周側に２つの嵌合爪４８を有する。嵌合爪４８は、嵌合部の一例である。２つの嵌合爪４８は、Ｒ方向に対向するように配置され、各嵌合爪４８は、一対の傾斜面４８ａ,４８ｂを有する板形状を有する。各傾斜面４８ａ,４８ｂは、Ｚ方向に対して傾斜する方向に延在する。
【００２６】
図９は、回転部材５０の斜視図である。図９に示すように、回転部材５０は、略円筒状の部材であり、θ方向に間隔をおいて配置される２つの傾斜溝５１を有する。傾斜溝５１は、螺旋溝の一部からなる形状を有する。傾斜溝５１は、Ｚ方向に対して傾斜し、θ方向一方側に行くにしたがって回転部材５０のＺ方向下側からＺ方向上側まで延在する。傾斜溝５１は、回転部材５０を厚さ方向に貫通する細長い長孔形状の貫通孔の構造を有し、Ｚ方向に対向する一対の内壁面（傾斜面）５１ａ,５１ｂを含む。
【００２７】
図１０に示すように、光学ブロック７０においてＲ方向外方に突出する嵌合爪４８を、回転部材５０の傾斜溝５１に嵌合させることで、光学ブロック７０と回転部材５０が一体に統合され、回転部材アッセンブリ８０が構成される。嵌合爪４８は、傾斜溝５１内を傾斜溝５１の延在方向に移動可能になっている。光学ブロック７０が、図１０に示す状態から回転部材５０に対して図１０にθ１に示す方向に相対回転すると、レンズ３０が回転部材５０に対してＺ方向上側に移動する。このように、傾斜溝５１内における嵌合爪４８の存在位置を調整することで、回転部材５０に対するレンズ３０のＺ方向位置を調整できるようになっている。
【００２８】
次に、基台１０に対する回転部材アッセンブリ８０の取付構造について説明する。図３に示すように、基台１０は、２分割構造を有し、第１部材１０ａと第２部材１０ｂを含む。図１１は、基台１０の第１部材１０ａの斜視図である。図１１に示すように、基台１０は、主面２４側からＺ方向下側に延在する複数の柱状部（リブ）１８を有する。柱状部１８は、光源６２に対して静止している静止部に設けられた第２係止部の一例である。柱状部１８の先端面は、Ｒ方向内方側に凸の凸面１８ａとなっている。本実施例では、図１１に示す第１部材１０ａが、２つの柱状部１８を有し、第２部材１０ｂが、１つの柱状部（図示せず）を有する。
【００２９】
３つの柱状部１８の凸面１８ａは、回転部材アッセンブリ８０に含まれるレンズホルダ４０の３つの第１係止部４１の凹面４１ａ（図１０参照）に係止される。その後、図１２、すなわち、図１と異なる角度から見たときの照明装置１の斜視図に示すように、ねじ８８で第１部材１０ａと第２部材１０ｂを一体化することで、回転部材アッセンブリ８０が基台１０に取り付けられ、基台１０と一体化される。
【００３０】
図５に示すように、回転部材５０は、第１環状フランジ部５７と、それよりもＺ方向下側に位置する第２環状フランジ部５８を有し、Ｚ方向におけるそれらのフランジ部５７,５８の間には、環状溝５９が設けられる。また、基台１０は、Ｚ方向下側にＲ方向内方側に突出する環状突出部１９を有する。第１部材１１ａと第２部材１１ｂが一体化されて、基台１０と回転部材アッセンブリ８０が統合された状態で、環状突出部１９は環状溝５９内に配置される。Ｚ方向から見たとき、第１環状フランジ部５７は、環状突出部１９に重なる部分を有し、基台１０においてＺ方向下側に位置する環状端面１４は、第２環状フランジ部５８に重なる部分を有する。図５に示すように、第１環状フランジ部５７の下面が環状突出部１９の上面に接触している状態で、環状端面１４は、第２環状フランジ部５８の上面に僅かな隙間を介してＺ方向に対向する。基台１０に対する回転部材５０の下側移動は、環状突出部１９で規制され、基台１０に対する回転部材５０の上側移動は、基台１０の環状端面１４で規制される。その結果、回転部材５０は、基台１０に対してＺ方向位置が略変化しない状態で基台１０に対して相対回転可能となる。上記僅かな隙間が存在するため、回転部材５０を基台１０に対して円滑に回転させることができる。基台１０に対する回転部材５０のＺ方向位置は、その僅かな隙間のＺ方向長さだけ変動する。よって、繰り返しになるが、基台１０に対する回転部材５０のＺ方向位置は略変動しない。
【００３１】
再度、図９を参照して、回転部材５０は、人がそれをつかんで回転させるための環状の把持部５２をＺ方向下側に有する。図１３、すなわち、照明装置１を下から見たときの斜視図に示すように、基台１０と回転部材５０に間には隙間が存在する。したがって、人が、指をその隙間に挿入して回転部材５０の把持部５２を回転させることができ、基台１０に対して回転部材５０をθ方向の双方向に自在に回転させることができる。
【００３２】
上記構成において、人が把持部５２を用いて基台１０に対して回転部材５０を回転させたとする。すると、光学ブロック７０が、その第１係止部４１の柱状部１８への係止によって基台１０に対して回転できない状態となっているため、回転部材５０の回転と共に連れ回りすることがなく、回転部材５０が、光学ブロック７０に対して相対回転する。したがって、この相対回転によって、嵌合爪４８が、傾斜溝５１内を移動し、その結果、光学ブロック７０が回転部材５０に対してＺ方向に相対移動する。よって、上述のように、回転部材５０が回転しても、回転部材５０のＺ方向位置が殆ど変化しないので、光学ブロック７０のＺ方向位置を自在に変動させることができ、それに含まれるレンズ３０のＺ方向位置も自在に変動させることができる。
【００３３】
以上、照明装置１は、筐体（基台１０及び枠体２０）と、筐体内に配置される光源６２と、筐体内で光源６２よりも光出射側に配置されるレンズ３０を含み、光源６２に対して静止している基台（静止部）１０に対する相対回転が制限される光学ブロック７０を備える。また、照明装置１は、光軸方向（Ｚ方向）の位置が略変わらず、基台１０に対して回転可能になっている回転部材５０を備える。また、光学ブロック７０及び回転部材５０のうちの一方（回転部材５０）は、Ｚ方向に対して傾斜する傾斜溝５１を有する。また、光学ブロック７０及び回転部材５０のうちの他方（光学ブロック７０）は、傾斜溝５１に嵌り込んで回転部材５０が基台１０に対して回転すると傾斜溝５１内における存在位置が変動する嵌合爪（嵌合部）４８を有する。
【００３４】
したがって、基台１０に対して回転部材５０を回転させると、基台１０に対するθ方向位置が変わらない嵌合爪４８が、傾斜溝５１内を移動し、その結果、Ｚ方向位置が略変わらない回転部材５０に対して光学ブロック７０をＺ方向に移動させることができる。よって、光学ブロック、ひいては、レンズ３０のＺ方向位置を自在に変動させることができ、狭角制御等の所望の調光を実行し易くなる。
【００３５】
また、回転部材５０が、Ｚ方向位置が略変わらない状態で基台１０に対して回転し、光学ブロック７０が回転部材５０内をＺ方向に上下移動するようになっている。したがって、光学ブロック７０のＺ方向位置を変動させる際、回転部材５０が基台１０に対してＺ方向に進退移動することがないため、従来技術のように、レンズ３０のＺ方向の移動に伴って照明装置１の高さ寸法が変わることがない。よって、照明装置１のコンパクト化を実現し易く、照明装置１の外観も、美観に優れる。
【００３６】
また、傾斜溝５１が、回転部材５０に存在してもよい。
【００３７】
上記構成によれば、レンズ３０のＺ方向の移動範囲の高さを必要とし、所定以上の高さを必要とする側壁を有する部材を、光学ブロック７０よりも径方向外側に配置できる。したがって、所定以上の高さを必要とする側壁をレンズ３０の近傍に設ける必要がないので、レンズ３０の設計の自由度を大きくでき、レンズ３０のサイズも大きくし易い。
【００３８】
また、光学ブロック７０が、レンズ３０を保持するレンズホルダ４０を有して、レンズホルダ４０が、Ｚ方向に延在する第１係止部４１を含んでもよい。また、第１係止部４１が、光源６２に対して静止する基台１０に設けられた柱状部（第２係止部）１８に係止してもよい。
【００３９】
上記構成によれば、レンズホルダ４０の第１係止部４１が、Ｚ方向に延在して、基台１０の柱状部１８に係止する。したがって、互いに係止する箇所のＺ方向長さを大きくでき、当該係止をより頑丈で確実なものとできる。よって、回転部材５０に対する光学ブロック７０の連れ回りを確実に防止でき、光学ブロック７０のＺ方向の移動時の挙動を安定させることができる。
【００４０】
また、嵌合部が、傾斜溝５１の一対の内壁面５１ａ,５１ｂに対向する一対の傾斜面４８ａ,４８ｂを有する嵌合爪４８でもよい。
【００４１】
上記構成によれば、嵌合部のより広い表面部分を傾斜溝５１の内壁面５１ａ,５１ｂに接触させることができる。よって、光学ブロック７０のＺ方向の移動時の挙動を更に安定させることができる。
【００４２】
また、一対の傾斜面のうちの少なくとも一方は、第１傾斜部と、第１傾斜部よりも傾斜が大きい第２傾斜部とを含んでもよい。
【００４３】
嵌合爪が傾斜溝内を移動する際に、嵌合爪の同じ箇所が常時、傾斜溝の内壁面に接触する構成の場合、嵌合爪の耐久性が低くなり易い。これを回避するため、例えば、図１４、すなわち、径方向外側から見た変形例の傾斜溝１５１に嵌合している変形例の嵌合爪１４８が上側移動している最中の模式図に示すように、嵌合爪１４８の下側傾斜面１７５が、第１傾斜部１７０と、第１傾斜部１７０よりも傾斜が大きい第２傾斜部１７１とを含んでもよい。また、嵌合爪１４８の上側傾斜面１６５が、第１傾斜部１６０と、第１傾斜部１６０よりも傾斜が大きい第２傾斜部１６１とを含んでもよい。また、上側に移動する際に先頭側となる第１傾斜部１７０の傾斜が、それよりも後側の第２傾斜部１７１の傾斜よりも緩やかでもよく、下側に移動する際に先頭側となる第１傾斜部１６０の傾斜が、それよりも後側の第２傾斜部１６１の傾斜よりも緩やかでもよい。
【００４４】
そして、嵌合爪１４８が傾斜溝１５１の上側に移動するときには、図１４に示すように、先頭側の下側が傾斜溝下側の内壁面１５１ａに接触するようにしてもよい。また、嵌合爪１４８が傾斜溝１５１の下側に移動するときには、先頭側の上側が傾斜溝上側の内壁面１５１ｂに接触するようしてもよい。このようにして、嵌合爪１４８が上側に移動するときと下側に移動するときで、傾斜溝１５１に接触する嵌合爪１４８の部分を異ならせるようにしてもよい。また、傾斜溝１５１に接触する嵌合爪１４８の両端部１９０,１９１の剛性（強度）を、傾斜溝１５１に接触しない嵌合爪１４８の中央部１９２の剛性よりも大きくしてもよい。このようにして、嵌合爪１４８の耐久性を高くしてもよい。
【００４５】
また、筐体は、光源６２が固定される基台１０と、基台１０の光出射側に配置される枠体２０とを含んでもよい。また、枠体２０の高さ方向に対するＺ方向（光軸方向）の傾斜角度が変動可能でもよい。
【００４６】
光軸方向が、枠体の高さ方向に対して変動可能なユニバーサル型の照明装置の場合において、従来技術のように、レンズの光軸方向位置を変動させる際にレンズが固定された基台の光軸方向長さが変動する構成を採用したとする。すると、光軸方向が枠体の高さ方向に対して大きく傾斜した場合で、かつ、基台の長さが長くなったときに、基台が枠体に干渉し易くなるので、これを回避するために、枠体を大きくする必要が生じ、照明装置が、特に大型化し易い。しかし、本開示の技術の場合、本実施例のように、照明装置１がユニバーサル型であったとしても、レンズ３０の光軸方向位置を変動させる際に、レンズ３０が回転部材５０内を移動するだけで、照明装置１の外観（寸法）が、一切変わることがない。したがって、照明装置１がユニバーサル型である場合、照明装置１をコンパクト化し易いという本願技術の作用効果の一つが特に格別で顕著なものになる。
【００４７】
なお、本開示は、上記実施形態およびその変形例に限定されるものではなく、本願の特許請求の範囲に記載された事項およびその均等な範囲において種々の改良や変更が可能である。
【００４８】
例えば、上記実施形態では、回転部材５０が傾斜溝５１を有し、光学ブロック７０が嵌合爪４８を有する場合について説明した。しかし、光学ブロックが外周面に光軸方向に対して傾斜する傾斜溝を有してもよく、回転部材が、傾斜溝に嵌り込んで回転部材が回転すると傾斜溝内における存在位置が変動する嵌合部を有してもよい。
【００４９】
また、光学ブロック７０をレンズホルダ４０及びレンズ３０で構成する場合について説明した。しかし、光学ブロックは、レンズのみで構成されてもよい。
【００５０】
また、傾斜溝５１が、回転部材５０を厚さ方向に貫通する場合について説明した。しかし、傾斜溝は、回転部材又は光学ブロックの側壁部を厚さ方向に貫通しなくてもよく、一対の側壁部の間を連結する底部を有してもよい。但し、傾斜溝が、それが形成される部材を厚さ方向に貫通する貫通孔の構造を有している場合、嵌合爪の該厚さ方向の寸法を大きくできて嵌合爪の体積を大きくできる。よって、嵌合爪の強度を大きくできて好ましい。
【００５１】
また、傾斜溝５１に嵌り込む嵌合部が、一対の傾斜面４１ａ,４１ｂを有する板形状の嵌合爪４８である場合について説明した。また、図１４を用いて、嵌合爪１４８の下側傾斜面１７５が、第１傾斜部１７０と、それよりも傾斜が大きい第２傾斜部１７１を含み、上側傾斜面１６５が、第１傾斜部１６０と、それよりも傾斜が大きい第２傾斜部１６１を含む場合について説明した。しかし、嵌合爪の下側傾斜面及び上側傾斜面の一方又は両方は、光軸方向に対する傾斜が全ての箇所で同一でもよい。又は、傾斜溝に嵌り込む嵌合部は、板形状以外の如何なる形状でもよくて、例えば、ピン形状等を有してもよい。また、この場合、回転部材の内側に光学ブロックを配置した状態で先端部に雄ねじを有するピンを回転部材の外側から回転部材の傾斜溝を通過するように光学ブロックの側面の雌ねじに締め込むことで回転部材と光学ブロックを一体化してもよい。なお、下側傾斜面及び上側傾斜面の少なくとも一方において、傾斜角度が異なる２以上の部分を形成する場合、仕様毎に意図的に傾斜溝に接触する箇所を調整し、その箇所の剛性を局所的に高くすると好ましい。
【００５２】
また、レンズ嵌合部４２が、Ｒ方向内方に突出する突出部で構成され、ホルダ嵌合部３１が、Ｒ方向内側に窪む凹部で構成される場合について説明した。しかし、レンズ嵌合部が、Ｒ方向外側に窪む凹部で構成され、ホルダ嵌合部が、Ｒ方向外方に突出すると共にその凹部に嵌合する突出部で構成されてもよい。
【００５３】
また、レンズホルダ４０が、θ方向に互いに間隔をおいて配置される３つの第１係止部４１を有していたが、レンズホルダは、１以上の係止部を有すればよく、θ方向に互いに間隔をおいて配置される２以上の係止部を有すると好ましい。また、レンズホルダ４０が、θ方向に互いに間隔をおいて配置される３つのレンズ嵌合部４２を有し、レンズ３０が、θ方向に互いに間隔をおいて配置される３つのホルダ嵌合部３１を有する場合について説明した。しかし、レンズホルダは、１以上のレンズ嵌合部を有すればよくて、θ方向に互いに間隔をおいて配置される２以上のレンズ嵌合部を有すると好ましい。また、レンズも、１以上のホルダ嵌合部を有すればよくて、θ方向に互いに間隔をおいて配置される２以上のホルダ嵌合部を有すると好ましい。また、照明装置１が、θ方向に互いに間隔をおいて配置される２つの傾斜溝５１を有する場合について説明した。しかし、照明装置１は、１つのみの傾斜溝を有してもよく、θ方向に互いに間隔をおいて配置される３以上の傾斜溝を有してもよい。なお、照明装置が、Ｎ（Ｎは、いずれかの自然数）の傾斜溝を有する場合、回転部材が、基台に対して（３６０／Ｎ）°回転すればよく、照明装置が、２以上の傾斜溝を有する場合、回転部材が基台に対して３６０°回転する必要はない。
【００５４】
また、レンズホルダ４０が、Ｚ方向に延在する第１係止部４１を有する場合について説明した。しかし、基台に対するレンズホルダの連れ回り防止を、それ以外の如何なる構造で行ってもよい。例えば、レンズホルダの高さ方向上側に径方向外方に延びる突出部を設け、この突出部の径方向外方側の先端部を、基台の内面に設けられた凹部に収容することでレンズホルダの基台に対する連れ回り防止を行ってもよい。そのような係止は、本実施例のように基台を分割構造にすることで実現することができる。
【００５５】
また、光学ブロック７０が、その第１係止部４１の柱状部１８への係止によって基台１０に対して回転できない状態となる場合について説明した。しかし、光学ブロックは、光源に対して静止する静止部に対して周方向の狭い所定領域のみ周方向に回転可能になっていてもよく、回転部材が回転したとき、光学ブロックが周方向の僅かな範囲のみ回転部材に連れ回る構成でもよい。光源に対して静止している静止部に対する光学ブロックの相対回転を許容する構成を採用しても、相対回転の範囲を所定の周方向領域に制限することで光学ブロックの光軸方向の移動を円滑に実行できる。
【００５６】
また、回転部材５０に、第１環状フランジ部５７と、それよりもＺ方向下側に位置する第２環状フランジ部５８を設け、基台１０の環状突出部１９を、第１環状フランジ部５７と第２環状フランジ部５８の間に配置する場合について説明した。そして、回転部材５０を、基台１０に対するＺ方向位置が略変わらない状態で回転可能にする構成を実現する場合について説明した。
【００５７】
しかし、実施例で説明した構成と異なる構成で、回転部材が、Ｚ方向位置が略変わらない状態で基台に対して回転可能となるようにしてもよい。例えば、回転部材の第１環状フランジ部、回転部材の第２環状フランジ部、及び基台の環状突出部のうちの１以上は、環状構造でなくてもよく、非環状でもよい。
【００５８】
また、回転部材５０が、２つの環状フランジ部を有し、基台１０が、径方向内方に突出する１つの環状突出部１９を有する場合について説明した。しかし、回転部材が、径方向外方に突出する１つのみの環状突出部を有し、基台が、径方向内方に突出すると共に光軸方向位置が異なる２つの環状フランジ部を有する構成でもよい。そして、照明装置が組み立てられた際、光軸方向から見たときに環状突出部の径方向外方の先端が２つの環状フランジ部の両方に重なる状態で、環状突出部が２つの環状フランジ部の間に位置してもよい。要は、照明装置は、回転部材がそのＺ方向位置が略変わらない状態で基台に対して回転可能となる如何なる構造を有してもよい。
【００５９】
また、照明装置１が、枠体２０の高さ方向に対する光軸方向の傾斜角度が変動可能な構成を有し、照明装置１が、所謂ユニバーサル型のダウンライトである場合について説明した。しかし、照明装置は、鉛直方向に対する光軸方向の傾斜角度を調整不可能な構成でもよく、ユニバーサル型の照明装置でなくてもよい。
【００６０】
また、ダウンライトやスポットライトは多種多様な構造が存在するが、本開示の技術は、それらの多種多様のダウンライトやスポットライトのうちのいずれの構造が基本となっていてもよい。また、照明装置１が、埋め込み型ダウンライトである場合について説明したが、照明装置は、レールに吊り下げられる形式や、天井に吊り下げられる形式でもよい。要は、本開示の照明装置は、筐体と、筐体内に配置される光源と、筐体内で光源よりも光出射側に配置されるレンズを含み、光源に対して静止している静止部に対する相対回転が制限される光学ブロックと、光軸方向の位置が略変わらず、静止部に対して回転可能になっている回転部材と、を備え、光学ブロック及び回転部材のうちの一方が、光軸方向に対して傾斜する傾斜溝を有し、光学ブロック及び回転部材のうちの他方が、傾斜溝に嵌り込んで回転部材が静止部に対して回転すると傾斜溝内における存在位置が変動する嵌合部を有する構造を有していれば、如何なる構造の照明装置でもよい。
【符号の説明】
【００６１】
１  照明装置、  １０  基台、  １８  柱状部、  ２０  枠体、  ３０  レンズ、  ４０  レンズホルダ、  ４１  第１係止部、  ４８,１４８  嵌合爪、  ４８ａ,４８ｂ  嵌合爪の一対の傾斜面、  ５０  回転部材、  ５１,１５１  傾斜溝、  ５１ａ,５１ｂ  傾斜溝の内壁面、  ６２  光源、  ７０  光学ブロック、  １５１ａ  傾斜溝下側の内壁面、  １５１ｂ  傾斜溝上側の内壁面、  １６０  上側傾斜面の第１傾斜部、  １６１  上側傾斜面の第２傾斜部、  １６５  嵌合爪の上側傾斜面、  １７０  下側傾斜面の第１傾斜部、  １７１  下側傾斜面の第２傾斜部、  １７５  下側傾斜面、  Ｒ方向  基台の径方向、θ方向  基台の周方向、  Ｚ方向  光軸方向（基台の高さ方向）。
【図１】
2020072062.tif 000003
【図２】
2020072062.tif 000004
【図３】
2020072062.tif 000005
【図４】
2020072062.tif 000006
【図５】
2020072062.tif 000007
【図６】
2020072062.tif 000008
【図７】
2020072062.tif 000009
【図８】
2020072062.tif 000010
【図９】
2020072062.tif 000011
【図１０】
2020072062.tif 000012
【図１１】
2020072062.tif 000013
【図１２】
2020072062.tif 000014
【図１３】
2020072062.tif 000015
【図１４】
2020072062.tif 000016
【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
筐体と、
前記筐体内に配置される光源と、
前記筐体内で前記光源よりも光出射側に配置されるレンズを含み、前記光源に対して静止している静止部に対する相対回転が制限される光学ブロックと、
光軸方向の位置が略変わらず、前記静止部に対して回転可能になっている回転部材と、を備え、
前記光学ブロック及び前記回転部材のうちの一方は、前記光軸方向に対して傾斜する傾斜溝を有し、
前記光学ブロック及び前記回転部材のうちの他方は、前記傾斜溝に嵌り込んで前記回転部材が前記静止部に対して回転すると前記傾斜溝内における存在位置が変動する嵌合部を有する、照明装置。
【請求項２】
前記傾斜溝が、前記回転部材に存在する、請求項１に記載の照明装置。
【請求項３】
前記光学ブロックが、前記レンズを保持するレンズホルダを有し、
前記レンズホルダは、前記光軸方向に延在する第１係止部を含み、
前記第１係止部が、前記静止部に設けられた第２係止部に係止する、請求項１又は２に記載の照明装置。
【請求項４】
前記嵌合部が、前記傾斜溝の一対の内壁面に対向する一対の傾斜面を有する嵌合爪である、請求項１乃至３のいずれか１つに記載の照明装置。
【請求項５】
前記一対の傾斜面のうちの少なくとも一方は、第１傾斜部と、前記第１傾斜部よりも傾斜が大きい第２傾斜部とを含む、請求項４に記載の照明装置。
【請求項６】
前記筐体は、前記光源が固定される基台と、前記基台の前記光出射側に配置される枠体とを含み、
前記枠体の高さ方向に対する前記光軸方向の傾斜角度が変動可能である、請求項１乃至５のいずれか１つに記載の照明装置。
【請求項７】
前記筐体は、ねじで締結されることで一体化される第１部材と第２部材を含み、
前記嵌合部が前記傾斜溝に嵌り込むことで前記光学ブロックと前記回転部材が統合されて構成される回転部材アッセンブリは、前記第１部材と前記第２部材が前記ねじの締結で一体化されたときに前記回転部材が前記筐体に対して相対回転可能な状態で前記筐体に統合される、請求項１乃至６のいずれか１つに記載の照明装置。